(57)【要約】　　　（修正有）【課題】一枚の紙材を使用し、接着剤を貼着する事無く、簡単に、確実に、紙容器を組立てることができ、また、環境問題に対応した紙製容器を提供する。【解決手段】四辺形紙シートの底面１の縁を折り曲げ線とした４つの側壁面２，３と、これら側壁面２の両端の補助側壁面４、５とを各々内側に折り曲げて、雌型切込みつぎ片６を外側に折り曲げ、雄型突起つぎ片７の突起を雌型切込みつぎ片６の切込み穴に挿入し、係合連結したのち外側に折り曲げることで、重ね合わされた補助側壁面４、５を接着剤を貼着する事無く、係合連結固定し、側壁面３をすでに係合連結固定された補助側壁面４，５に密着するまで外側に押し拡げ、重ね合わせた後、縁面９を雌型切込みつぎ片６、雄型突起つぎ片７と共に外側に深く折り曲げ、最後に縁面８を縁面９の両端の突起を覆う様に外側に折り曲げる。【選択図】　図１
2004099143.tif 000002
【特許請求の範囲】
【請求項１】
紙製トレー容器において、底面１の四辺形縁に連設した側壁面２、３と、側壁面２の両端に連設する補助側壁面４、５と、側壁面２及び補助側壁面４、５の外端に縁面８、切り込み穴を有する雌型切込みつぎ片６，雄型突起つぎ片７と、側壁面３の外端に縁面９とを備え、底面１の四辺形縁に連設した側壁面２、３を起立させ、雌型切込みつぎ片６を外側へ折り曲げると共に、補助側壁面４，５を内側へ折り曲げ、雄型突起つぎ片７の突起を雌型切込みつぎ片６の切込み穴に挿入、係合連結し、雄型切込みつぎ片７を外側に折り曲げ、係合連結、固定し、上面開口の箱型構造の紙容器を形成すると共に、側壁面３をすでに係合連結、固定された補助側壁面４，５に密着するまで外側に押し拡げ、密着させた後、縁面９を雌型切込みつぎ片６、雄型突起つぎ片７と共に外側に深く折り曲げ、最後に縁面８を縁面９の両端の突起を覆う様に外側に折り曲げることで箱型容器の型崩れをより防ぎ、より強固な、接着剤を貼着する事無く、上面開口の箱型構造の紙容器を一枚の紙材により形成することを特徴とする生鮮食品の包装用つば付紙製容器。
【発明の詳細な説明】
【０００１】
【発明の属する技術分野】
本発明は、茸類や青菜等の生鮮食品を収納するのに適した上部開口の箱型の紙製容器に関するものであり、特に、１枚の紙を折り曲げて、接着剤を貼着する事無く、簡単に組立ることが出来る紙製つば付容器に係わるものである。
【０００２】
【従来の技術】
従来、しめじ、えりんぎ等の茸類や青菜等の生鮮食品の包装用容器として、上部開口箱型のプラスチック製や発泡スチロール製のトレー容器が広く使用されている。
【０００３】
しかし、プラスチック製トレー容器の廃棄に際して、焼却したときに有毒ガスを発生し環境汚染の原因となる問題点等が指摘されるようになり、廃棄に問題が少なく、環境にやさしい紙を使用したトレー容器が脚光を浴びるようになっている。
上記の紙製トレー容器は、一枚乃至、複数枚の紙材を折り曲げ、重合部に接着剤を貼着し、組立てるものが主流である。
【０００４】
【発明が解決しようとする課題】
従来のプラスチック製や発泡スチロール製のトレー容器において、容器として使用後の廃棄に問題があるため、現状、使用後、これらのトレー容器は、回収し再利用を図るか、又は燃焼処理するか、等の処理がなされているが、いずれも満足し得る状態でなく、特に、ゴミとして焼却した際に、有毒ガスを発生し環境汚染の原因にもなっており、その使用量の削減等が求められている。
又、プラスチック製のトレー容器を使用した密閉包装内に閉じ込められた生鮮食品から発する水分が、トレー容器の底面に溜まり、水滴化し底面に溜まった水により茸類や青菜等の生鮮食品を品質低下させることがある。
【０００５】
紙製トレー容器において、従来のプラスチック製や発泡スチロール製のトレー容器に代わる回収利用、及び、廃棄処理の容易な、環境にやさしい紙製トレー容器が提案、採用されて来ている。しかし、１枚乃至、複数の紙材を折り曲げ、重合部に接着剤を貼着し、組立てる為、プラスチック製の様に大量に、安価に製作できないため、この紙製トレー容器を、接着剤を貼着する事無く、簡易折り曲げ、組立することにより、材料、製造工程を簡便化することにある。
【０００６】
【課題を解決するための手段】
上記課題を解決するため、この発明は、１枚のみの紙材から折り曲げ、組立てる紙製トレー容器にあって、底面１の四辺形縁に連設した側壁面２、３を起立させ、これら側壁面２，３に連接する補助側壁面４，５、雌型切込みつぎ片６、雄型突起つぎ片７、及び縁面８，９を折り曲げ、組立し、雄型突起つぎ片７を雌型切込みつぎ片６の切込み穴に挿入、係合連結する事で、接着剤を貼着する事無く、型崩れを防いだ上部開口の箱型構造の紙製トレー容器を簡単に組立てられるようにしたものである。
【０００７】
【発明の実施の形態】
以下、図１乃至図３に示す実施例に基づいて本発明を具体的に説明する。
【０００８】
図２は、本発明の実施の形態を示す生鮮食品包装用紙製容器の紙材Ｂの展開例を示す平面図であり、紙材Ｂは、底面１の四辺形縁の折り曲げ線１ａ、１ｂを介して側壁面２，３を連設され、側壁面２の両端に折り曲げ線２ａ、２ｂを介し補助側壁面４、５を連設される。
【０００９】
補助側壁面４の外端に折り曲げ線４ａを介し切込み穴を有する雌型切込みつぎ片６を連設され、補助側壁面５の外端に折り曲げ線５ａを介し雄型突起つぎ片７を連設され、側壁面２，３の外端に各々折り曲げ線８ａ、９ａを介して両端に突起を持つ縁面８、９を連設される。
【００１０】
次に、上記のように展開形成された紙材Ｂにより本発明の紙トレー容器を組立てる工程を、図１、２、３に基づいて説明する。
先ず、底面１の四辺形縁の折り曲げ線１ａ、１ｂに沿って側壁面２、３を内側に起立させて、上面開口の箱型を形成される。
次に、補助側壁面４に連設する雌型切込みつぎ片６を折り曲げ線４ａに沿って外側に折り曲げた後に、折り曲げ線２ａ、２ｂに沿って補助側壁面４、５を内側に折り曲げ、補助側壁面５に連設する雄型突起つぎ片７の突起を、補助側壁４に連設する雌型切込みつぎ片６の切込み穴に挿入、係合連結し、雄型突起つぎ片７を折り込み線５ａに沿って外側に折り曲げ、接着剤を貼着すること無く、係合連結、固定し、上面開口の箱型構造の紙容器を形成される。
【００１１】
さらに、側壁面３をすでに係合連結、固定された補助側壁面４、５に密着するまで拡げ、縁面９を外側に折り曲げ、雌型切込みつぎ片６，雄型突起つぎ片７に重ね合わせ、最後に、縁面８を折り曲げ線８ａに沿って縁面８の両端の突起で縁面９の両端の突起を覆うように外側に折り曲げることで、箱型容器の型崩れをより防ぎ、より強固な、上面開口の箱型構造の紙容器を形成、図３に示す生鮮食品の包装用つば付紙製容器を完成される。
【００１２】
【発明の効果】
１．この発明の紙製容器は、一枚の紙材のみを使用し、工程の少ない一連の折り曲げ作業で、接着剤を貼着すること無く、簡単に、確実に、紙製容器を組立てる事ができ材料費、組立費のコストを低減される。
【００１３】
２．この発明の紙製容器は、１枚の紙材のみで構成される容器である事から、容器としての使用後、そのまま燃焼ゴミとして廃却する事ができ、環境汚染等の原因にならないものである。又、省資源省エネルギーのために廃棄物を回収し紙資源として再利用できる点でも効果が高いものである。
【００１４】
３．本発明の紙製容器は、紙製の容器である事から、密閉包装容器で茸類や青菜等の生鮮食品から蒸発する水分が水滴化して容器の底面に付着し、底面に落ちて水滴化した水分を紙で吸収し、紙容器の側面や底面に水が溜まる事がないため、生鮮食品の品質低下を防ぐことができ、生鮮食品の包装用紙製容器として、使用範囲を広げることができる。
【００１５】
【図面の簡単な説明】
【図１】本発明の生鮮食品用つば付紙製容器の組立状態を示す斜視図。
【図２】本発明の生鮮食品用つば付紙製容器の展開例を示す紙材の平面図。
【図３】本発明の生鮮食品用つば付紙製容器の外観を示す実施例の正面図、平面図、側面図
【符号の説明】
Ａ　　生鮮食品の紙製容器
Ｂ　　生鮮食品の紙製容器の紙材
１　底面
２　側壁面
３　側壁面
４　補助側壁面
５　補助側壁面
６　雌型切込みつぎ片
７　雄型突起つぎ片
８　縁面
９　縁面
１ａ、１ｂ　折り曲げ線
２ａ、２ｂ　折り曲げ線
４ａ　　折り曲げ線
５ａ　　折り曲げ線
８ａ　　折り曲げ線
９ａ　　折り曲げ線
【図１】
2004099143.tif 000003
【図２】
2004099143.tif 000004
【図３】
2004099143.tif 000005